(57)【特許請求の範囲】
【請求項１】
円筒形状を有し、内部に通風路の一部を規定するケース部と、
先端部に吹出口を有し、前記吹出口に繋がる前記通風路の一部を規定し、前記ケース部に一部が受け入れられた状態で前記ケース部内に装着され、前記ケース部の先端に可動に取り付けられたフィン部と、
前記通風路内であって前記ケース部の直径方向の中央に配置され、前記フィン部と接続される第１軸と、前記第１軸と交差する方向に伸びかつ前記ケース部に接続される第２軸とを有し、前記フィン部を前記ケース部に対して前記第１軸および前記第２軸まわりに回動可能に支持するジョイント部とを備え、
前記ケース部の後端に、開口を有する枠部材が設けられており、
前記ケース部の直径方向の中央に配置され、前記ケース部の前記後端から先端に向かって延びるように、前記枠部材に支持部材が設けられており、
前記支持部材に前記第２軸が取り付けられている、ベンチレータ。
【請求項２】
前記ジョイント部は、前記第１軸および前記第２軸の少なくとも一方が雄形である、請求項１に記載のベンチレータ。
【請求項３】
重力方向に回動可能な前記ケース部または前記フィン部のいずれかの摩擦係数より、前記ジョイント部の前記ケース部または前記フィン部との摺動部分の摩擦係数が高い、請求項１または２に記載のベンチレータ。
【請求項４】
前記吹出口は前記先端部から見て格子状に形成されている、請求項１〜３のいずれかに記載のベンチレータ。
【請求項５】
前記フィン部の外周の一部と前記ケース部の先端とを連続して覆い、前記先端部側に向かって開口面積が小さくなるよう形成されたカバー部を備えた、請求項１〜４のいずれかに記載のベンチレータ。
【発明の詳細な説明】
【技術分野】
【０００１】
本発明は、ベンチレータに関し、特に、空気調和装置などの空気の吹出部に取り付けられ、吹き出される空気の流れの向きを調整可能なベンチレータに関するものである。
【背景技術】
【０００２】
従来、空気調和装置などの空気の吹出部には吹き出される空気の流れの向きを調整可能なベンチレータが取り付けられることがある。この場合、上下および左右方向に吹き出される空気の流れの向きを調整可能なベンチレータが用いられることがある。
【０００３】
上下および左右方向に吹き出される空気の流れの向きを調整可能なベンチレータとして、たとえば、特開２００４−２４３９４６号公報（特許文献１）に記載のレジスタ（ベンチレータ）が提案されている。この公報に記載されたレジスタ（ベンチレータ）では、円筒形のリテーナ内に円筒形の回動ルーバーが送風方向と平行な軸の回りで回動可能に装着されている。この回動ルーバーの円筒フレーム内に可動フィンが回動ルーバーの回動軸と直角な軸を支軸にして回動可能に支持されている。円筒フレームおよび可動フィンを回動させることによりレジスタ（ベンチレータ）から吹き出される空気の向きが上下および左右方向に調整され得る。
【先行技術文献】
【特許文献】
【０００４】
【特許文献１】特開２００４−２４３９４６号公報
【発明の概要】
【発明が解決しようとする課題】
【０００５】
上記公報のレジスタ（ベンチレータ）では、円筒フレームの支持フレームの軸孔および溝に可動フィンの軸部が嵌め込まれている。また、回動ルーバーがリテーナ内の前部に前方から嵌め込まれており、円筒フレームの支持フレーム外周面の一部がリテーナの内周面の一部に接している。可動フィンを上下および左右方向に回動させる場合、支持フレームの軸孔および溝と可動フィンの軸部とが摺動し、支持フレームの外周面の一部とリテーナの内周面の一部とが摺動する。この際、支持フレームの外周面の一部とリテーナの内周面の一部とが摺動する面積が大きいので摺動する部分の摩擦抵抗が大きくなる。
【０００６】
可動フィンを回動させるために可動フィンに外部から力が加えられた際、この摺動する部分の摩擦抵抗が大きいため、摩擦抵抗により可動フィンを回動させるために大きな力が必要となる。また、この摩擦抵抗が大きいため、可動フィンに外部から加えられた力のロス（損失）も大きくなる。このため、たとえば可動フィンの位置の微調整等に支障をきたすこととなり、可動フィンの操作性が悪いという問題がある。
【０００７】
本発明は、上記課題を鑑みてなされたものであり、その目的は、フィン部の操作性の良いベンチレータを提供することである。
【課題を解決するための手段】
【０００８】
本発明のベンチレータは、円筒形状を有し、内部に通風路の一部を規定するケース部と、先端部に吹出口を有し、吹出口に繋がる通風路の一部を規定し、ケース部に一部が受け入れられた状態でケース部内に装着され、ケース部の先端に可動に取り付けられたフィン部と、通風路内であってケース部の直径方向の中央に配置され、フィン部と接続される第１軸と、第１軸と交差する方向に伸びかつケース部に接続される第２軸とを有し、フィン部をケース部に対して第１軸および第２軸まわりに回動可能に支持するジョイント部とを備えている。ケース部の後端に、開口を有する枠部材が設けられている。ケース部の直径方向の中央に配置され、ケース部の後端から先端に向かって延びるように、枠部材に支持部材が設けられている。支持部材に第２軸が取り付けられている。
【０００９】
本発明のベンチレータによれば、フィン部をケース部に対して回動可能に支持するジョイント部が通風路内であってケース部の直径方向の中央に配置されているため、フィン部およびケース部とジョイント部とが摺動する面積を小さくすることができる。そのため、フィン部およびケース部とジョイント部との摺動する部分の摩擦抵抗を小さくすることができる。摩擦抵抗が小さいためフィン部を回動させるために必要な力を小さくすることができる。また、この摩擦抵抗が小さいためフィン部を回動させるためにフィン部に外部から加えられた力のロス（損失）も小さくなる。このため、たとえばフィン部の位置の微調整等が容易である。よって、フィン部の操作性を良くすることができる。
【００１０】
上記のベンチレータにおいて好ましくは、ジョイント部は、第１軸および第２軸の少なくとも一方が雄形である。ジョイント部の第１軸および第２軸の両方が雌形の場合、第１軸および第２軸のうち後で取り付ける方では、ジョイント部がケース部とフィン部とに囲まれているので、雌形に挿入するために雄形の間隔を広げることは困難である。したがって、雄形の間隔を広げて雌形に雄形を挿入することは困難である。それに対して、第１軸および第２軸の少なくとも一方が雄形の場合、第１軸および第２軸のうち後で取り付ける方を雄形にして、雄形を雌形に押し込むことで雌形の間隔を広げて雌形に雄形を挿入することは容易である。よって、第１軸および第２軸の少なくとも一方を雄形にすることで、ジョイント部とケース部またはフィン部とを容易に取り付けることができる。
【００１１】
上記のベンチレータにおいて好ましくは、重力方向に回動可能なケース部またはフィン部のいずれかの摩擦係数より、ジョイント部のケース部またはフィン部との摺動部分の摩擦係数が高い。ジョイント部の摺動部分の摩擦係数が高いため、重力方向に回動可能なケース部またはフィン部とジョイント部との摩擦力により、フィン部が回動した状態の位置を保持することができる。ケース部、フィン部およびジョイント部の３つの部品でフィン部が回動した状態の位置を保持することができるので、部品点数を少なくすることができる。
【００１２】
上記のベンチレータにおいて好ましくは、吹出口は先端部から見て格子状に形成されている。吹出口が先端部から見て格子状に形成されているため、格子状の吹出口から吹き出される空気の指向性を向上することができる。そのため、吹出口から吹き出される空気の向きをより正確にコントロールすることができる。
【００１３】
上記のベンチレータにおいて好ましくは、フィン部の外周の一部とケース部の先端とを連続して覆い、先端部側に向かって開口面積が小さくなるよう形成されたカバー部材を備えている。カバー部がフィン部の外周の一部とケース部の先端とを連続して覆っているため、フィン部とケース部との間から空気が漏れることを抑制することができる。カバー部が先端部側に向かって開口面積が小さくなるよう形成されているため、先端部に設けられた吹出口に空気を効率的に供給することができる。
【発明の効果】
【００１４】
以上説明したように、本発明によれば、フィン部の操作性の良いベンチレータを提供することができる。
【図面の簡単な説明】
【００１５】
【図１】本発明の一実施の形態におけるベンチレータの概略斜視図である。
【図２】本発明の一実施の形態におけるベンチレータの概略正面図である。
【図３】図２のＩＩＩ−ＩＩＩ線に沿う概略断面図である。
【図４】本発明の一実施の形態におけるベンチレータの概略分解斜視図である。
【図５】本発明の一実施の形態におけるケース部の概略正面図である。
【図６】本発明の一実施の形態におけるフィン部の概略正面図である。
【図７】本発明の一実施の形態におけるジョイント部の概略正面図である。
【図８】本発明の一実施の形態におけるフィン部の一部がケース部に受け入れられた状態を示す概略斜視図である。
【発明を実施するための形態】
【００１６】
以下、本発明の一実施の形態について図に基づいて説明する。
最初に本発明の一実施の形態のベンチレータの構成について説明する。
【００１７】
図１および図２を参照して、ベンチレータ１は、ケース部１０と、フィン部２０と、ジョイント部３０と、カバー部４０とを主に有している。ベンチレータ１はフィン部２０の先端部２１の吹出口２２から吹き出される空気の流れの向きを上下方向（図中矢印Ｙ方向）および左右方向（図中矢印Ｘ方向）に調整可能に構成されている。なお、上下および左右方向は相対的に規定されるものであり、直交する２方向の何れかが上下方向に該当し、他方が左右方向に該当する。なお、カバー部４０は先端部２１の吹出口２２に効率的に空気を供給するための部材であるので用いられなくてもよい。
【００１８】
ケース部１０の後端からフィン部２０の先端部２１には連続的に通風路５が設けられている。ケース部１０の内部は、通風路５の一部を形成している。フィン部２０は、先端部２１に吹出口２２を有している。フィン部２０は、吹出口２２に繋がる通風路５の一部を規定している。
【００１９】
ケース部１０の先端とフィン部２０の外周の一部とが連続してカバー部４０で覆われている。より具体的には、ケース部１０の先端がカバー部４０のベース部材４１で覆われている。フィン部２０の外周の一部がカバー部４０のカバー部材４４で覆われている。カバー部４０は、フィン部２０の先端部２１側に向かって開口４５の面積（開口面積）が小さくなるよう形成されている。より具体的には、カバー部４０のカバー部材４４がフィン部２０の先端部２１側に向かって開口４５の面積が小さくなるようフィン部２０の外形の一部に沿って設けられている。
【００２０】
図２および図３を参照して、ケース部１０とフィン部２０とはジョイント部３０により上下および左右方向に回動可能に接続されている。つまり、フィン部２０は、ジョイント部３０を介してケース部１０に対して上下および左右方向に回動可能に設けられている。フィン部２０は、ジョイント部３０によりケース部１０に一部が受け入れられた状態でケース部１０内に装着され、ケース部１０の先端に可動に取り付けられている。
【００２１】
ジョイント部３０は、通風路５内であってケース部１０の直径方向の中央に配置されている。ジョイント部３０は、フィン部２０と接続される第１軸３１と、ケース部１０に接続される第２軸３２とを有している。第２軸３２は、第１軸３１と交差する方向に伸びている。ジョイント部３０は、フィン部２０をケース部１０に対して第１軸３１および第２軸３２まわりに回動可能に支持するよう構成されている。ジョイント部３０は、たとえば軟式樹脂、ゴムまたはポリエステル系エラストマーからなっていてもよい。
【００２２】
ジョイント部３０のケース部１０またはフィン部２０との摺動部分の摩擦係数は、重力方向に回動可能なケース部１０またはフィン部２０のいずれかの摩擦係数より高くなるよう設定されている。
【００２３】
ケース部１０で内側の領域においてケース部１０の後端から先端に向かって延びる支持部材１３が設けられている。支持部材１３は、板状の中間部材１６を挟むように配置された２つの板状形状を有している。支持部材１３の先端部分には取付孔１４が設けられている。中間部材１６に挟まれるようにジョイント部３０が配置されている。取付孔１４に第２軸３２が回動可能に取り付けられている。取付孔１４がケース部１０に対して左右方向（図１中矢印Ｘ方向）に配置されているため、ジョイント部３０はケース部１０に対して上下方向（図１中矢印Ｙ方向）に回動可能に取り付けられている。
【００２４】
フィン部２０は、上下方向（図１中矢印Ｙ方向）に配置された上下壁部材２３と左右方向（図１中矢印Ｘ方向）に配置された左右壁部材２４とを有している。フィン部２０では、上下壁部材２３に対して先端部２１と反対側に軸部材２５が設けられている。軸部材２５は上下方向（図１中矢印Ｙ方向）に空間を挟んで互いに対向するように配置されている。軸部材２５から互いに対向する方向に延びるように挿入部材２６が設けられている。挿入部材２６は円柱形状を有している。挿入部材２６に第１軸３１が回動可能に取り付けられている。挿入部材２６が第１軸３１の挿入穴３１ａに挿入部材２６の円周方向に回動可能に挿入されている。第１軸３１が第２軸３２に交差する方向に伸びているため、フィン部２０はジョイント部３０を介してケース部１０に対して左右方向（図１中矢印Ｘ方向）に回動可能に取り付けられている。
【００２５】
ケース部１０にカバー部４０が取り付けられている。ケース部１０の挿入枠部材１７にカバー部４０の突起部材４２が挿入されている。カバー部４０のカバー部材４４がフィン部２０の外形の一部に沿うように設けられている。カバー部材の先端に開口４５が設けられている。開口４５からフィン部２０の先端部２１が突出している。フィン部２０は、フィン部２０が回動した際にカバー部４０と接触しないように配置されている。
【００２６】
図４および図５を参照して、ケース部１０は、外形において、円筒形状を有している。ケース部１０の後端には枠部材１１が設けられている。枠部材１１は開口１２を有している。支持部材１３から見て枠部材１１は格子状に形成されている。支持部材１３はケース部１０の円筒形状の直径方向の中央に配置されている。支持部材１３の先端には、ジョイント部３０の第２軸３２を取付孔１４に挿入しやすくするためのテーパ部分１５が設けられている。テーパ部分１５は取付孔１４から先端に向かって厚みが小さくなるように形成されている。
【００２７】
ケース部１０の外縁の一部においてカバー部４０の突起部材４２を挿入するための挿入枠部材１７が設けられている。挿入枠部材１７は２つ設けられており、支持部材１３に対して互いに対向するように配置されている。
【００２８】
ケース部１０の外周にはカバー部４０の係止溝４３を係止するための爪部材１８が設けられている。爪部材１８は、ケース部１０の先端に向かって厚みが小さくなるテーパ形状を有している。また、爪部材１８は、テーパ形状よりケース部１０の後端側に平坦形状を有している。爪部材１８は、係止溝４３にテーパ形状側から挿入されて平坦部で係止されるように構成されている。爪部材１８は４つ設けられており、支持部材１３に対して対向するように配置された２つの爪部材１８からなる組が２つ設けられている。これらの２つの組みは支持部材１３に対して互いに交差する方向に配置されている。
【００２９】
ケース部１０の先端側には開口１９が設けられている。ケース部１０は、この開口１９にフィン部２０の一部を受け入れ可能に構成されている。
【００３０】
図４および図６を参照して、フィン部２０は先端部２１に向かって突出するように凸形状を有している。複数の上下壁部材２３と左右壁部材２４とが先端部２１から見て格子状に配置されている。吹出口２２は先端部２１から見て格子状に形成されている。
【００３１】
フィン部２０は、ジョイント部３０を保持するための軸部材２５および挿入部材２６を有している。軸部材２５から突き出すように設けられた挿入部材２６の先端には、挿入部材２６を第１軸３１の挿入穴３１ａに挿入しやすくするためのテーパ部分２７が設けられている。テーパ部分２７は挿入部材２６の先端に向かって直径が小さくなるように形成されている。フィン部２０は、フィン部２０の後端側の一部がケース部１０の開口１９からケース部１０内に受け入れられるように構成されている。
【００３２】
図４および図７を参照して、ジョイント部３０の第１軸３１と第２軸３２とは交差する方向に設けられている。第１軸は上下方向（図１中矢印Ｙ方向）に沿うように設けられている。第２軸は左右方向（図１中矢印Ｘ方向）に沿うように設けられている。ジョイント部３０は、第１軸３１および第２軸３２の少なくとも一方が雄形である。図７に示すジョイント部３０では第２軸３２が雄形に形成されている。また第１軸３１が雌形に形成されている。雄形とは、受け入れられる物に挿入可能に凸状に形成されていることをいう。また雌形とは、挿入物を受け入れ可能に凹状に形成されていることをいう。雌形の第１軸３１の長さＬ１は、雄形の第２軸３２の長さＬ２より長くなるように形成されている。
【００３３】
第１軸３１は円筒形状を有している。挿入穴３１ａはフィン部２０の挿入部材２６の外周面が摺動可能な直径を有している。挿入穴３１ａは挿入部材２６が挿入可能な深さを有している。なお挿入穴３１ａは第１軸３１を貫通するように形成されていてもよい。第１軸３１の先端の一部には、フィン部２０の挿入部材２６を挿入穴３１ａに挿入しやすくするためのテーパ部分３１ｂが設けられている。テーパ部分３１ｂは第１軸３１の上端の外周縁の一部を斜めに切欠くように形成されている。
【００３４】
第２軸３２は円筒形状を有している。第２軸３２はケース部１０の取付孔１４の内周面が摺動可能な直径を有している。第２軸３２の先端には、第２軸３２をケース部１０の取付孔１４に挿入しやすくするためのテーパ部分３２ａが設けられている。テーパ部分３２ａは第２軸３２の先端に向かって直径が小さくなるように形成されている。
【００３５】
続いて、ベンチレータ１の組み立て方法の一例について説明する。
図４および図６を参照して、フィン部２０のテーパ部分２７とジョイント部３０のテーパ部分３１ｂとを摺らせて挿入部材２６が挿入穴３１ａに挿入される。これによりフィン部２０とジョイント部３０とが回動可能に取り付けられる。フィン部２０が取り付けられた状態のジョイント部３０の第２軸３２のテーパ部分３２ａとケース部１０のテーパ部分１５とを摺らせて第２軸３２が取付孔１４に挿入される。これによりフィン部２０が取り付けられた状態のジョイント部３０とケース部１０とが回動可能に取り付けられる。このようにして、図８に示すように、ケース部１０にフィン部２０が上下方向（図８中矢印Ｙ方向）および左右方向（図８中矢印Ｘ方向）に回動可能に取り付けられる。
【００３６】
さらに、図４および図８を参照して、カバー部４０がフィン部２０側からケース部１０に取り付けられる。カバー部４０の突起部材４２がケース部１０の挿入枠部材１７に挿入され、係止溝４３が爪部材１８に係止されることでカバー部４０がケース部１０に装着される。このようにして、図１に示すように、ベンチレータ１が組み立てられる。
【００３７】
次に本発明の一実施の形態のベンチレータの動作について説明する。
図１を参照して、ケース部１０の後端に、たとえば図示しない送風管が接続され、この送風管に接続された図示しない空気調和機などから送風管を通じてベンチレータ１に空気が供給される。この状態で、フィン部２０を上下方向（図中矢印Ｙ方向）および左右方向（図中矢印Ｘ方向）に回動させることにより、先端部２１の吹出口２２から吹き出される空気の流れの向きが上下および左右方向に調整される。
【００３８】
図１および図３を参照して、吹き出される空気の流れの向きを上下方向に調整するため、フィン部２０に上下方向に回動するように外部から力が加えられると、フィン部２０はジョイント部３０と一体的に第２軸３２を中心に回動する。この際、第２軸３２と取付孔１４とが摺動しつつ第２軸３２が回転する。これにより、フィン部２０は、ケース部１０に対して上下方向に回動する。つまり、図３に示すように、フィン部２０に対して外部から力が加えられる前の実線で示す位置から外部から力が加えられた後の破線で示す位置にフィン部２０が回動する。
【００３９】
図３および図８を参照して、吹き出される空気の流れの向きを上下および左右方向に調整するため、フィン部２０に上下および左右方向に回動するように外部から力が加えられると、フィン部２０はジョイント部３０と一体的に第１軸３１が回転し、第２軸３２も回転する。この際、挿入部材２６と挿入穴３１ａとが摺動しつつ第１軸３１が回転する。また、第２軸３２と取付孔１４とが摺動しつつ第２軸３２が回転する。これにより、フィン部２０は、ケース部１０に対して上下および左右方向に回動する。この結果、フィン部２０はケース部１０に対して斜め方向に回動する。つまり、図８中部分Ａで示すように、フィン部２０に対して外部から力が加えられる前の実線で示す位置から外部から力が加えられた後の破線で示す位置に部分Ａが回動する。
【００４０】
次に本発明の一実施の形態のベンチレータの作用効果について説明する。
本発明の一実施の形態のベンチレータ１によれば、フィン部２０をケース部１０に対して回動可能に支持するジョイント部３０が通風路５内であってケース部１０の直径方向の中央に配置されているため、フィン部２０およびケース部１０とジョイント部３０とが摺動する面積を小さくすることができる。そのため、フィン部２０およびケース部１０とジョイント部３０との摺動する部分における摩擦抵抗を小さくすることができる。摩擦抵抗が小さいためフィン部２０を回動させるために必要な力を小さくすることができる。また、この摩擦抵抗が小さいためフィン部２０を回動させるためにフィン部２０に外部から加えられた力のロス（損失）も小さくなる。このため、たとえばフィン部２０の位置の微調整等が容易である。よって、フィン部２０の操作性を良くすることができる。
【００４１】
また、従来では、可動フィンを上下および左右方向に回動させる場合、支持フレームの軸孔および溝と可動フィンの軸部とが摺動し、支持フレームの外周面の一部とリテーナの内周面の一部とが摺動する。そのため、可動フィンを上下および左右方向との両方向に回動させる際、上下方向と左右方向とで摺動する部分が大きく離れているためスムーズに上下および左右方向に連動して回動させることが困難である。
【００４２】
それに対して、本発明の一実施の形態のベンチレータ１にでは、フィン部２０をケース部１０に対して第１軸３１および第２軸３２まわりに回動可能に支持するジョイント部３０がケース部１０の直径方向の中央に配置されているため、第１軸３１と第２軸３２とが近くに配置されている。第１軸３１と第２軸３２とが近くに配置されているため、フィン部２０を上下および左右方向に回動させるように外部から加えられた力が第１軸３１と第２軸３２の両方に連動して加わる。このため、第１軸３１および第２軸３２が連動して回転するため、フィン部２０は上下および左右方向にスムーズに連動して回動することができる。
【００４３】
また、ジョイント部３０がケース部１０の直径方向の中央に配置されているため、ベンチレータ１が外部から熱を加えられた場合でもジョイント部３０は熱の影響を受けにくい。そのため、ジョイント部３０は寸法変化による不具合を受けにくい。これにより、ジョイント部３０の寸法変化による不具合によって発生するフィン部２０の回動の不具合を抑制することができる。
【００４４】
また、ジョイント部３０がケース部１０の直径方向の中央に配置されているため、ケース部１０とフィン部２０とがケース部１０の直径方向の中央で接続される。したがって、ケース部１０の外側にフィン部２０と接続するため軸などが形成されない。そのため、ケース部１０が大きくなることが抑制されるので、ベンチレータ１を小型化することができる。
【００４５】
上記のベンチレータ１において好ましくは、ジョイント部３０は、第１軸３１および第２軸３２の少なくとも一方が雄形である。ジョイント部３０の第１軸３１および第２軸３２の両方が雌形の場合、第１軸３１および第２軸３２のうち後で取り付ける方では、ジョイント部３０がケース部１０とフィン部２０とに囲まれているので、雌形に挿入するために雄形の間隔を広げることは困難である。したがって、雄形の間隔を広げて雌形に雄形を挿入することは困難である。それに対して、第１軸３１および第２軸３２の少なくとも一方が雄形の場合、第１軸３１および第２軸３２のうち後で取り付ける方を雄形にして、雄形を雌形に押し込むことで雌形の間隔を広げて雌形に雄形を挿入することは容易である。よって、第１軸３１および第２軸３２の少なくとも一方を雄形にすることで、ジョイント部とケース部またはフィン部とを容易に取り付けることができる。
【００４６】
上記のベンチレータ１において好ましくは、重力方向に回動可能なケース部１０またはフィン部２０のいずれかの摩擦係数より、ジョイント部３０のケース部１０またはフィン部２０との摺動部分の摩擦係数が高い。ジョイント部３０の摺動部分の摩擦係数が高いため、重力方向に回動可能なケース部１０またはフィン部２０とジョイント部３０との摩擦力により、フィン部２０が回動した状態の位置を保持することができる。ケース部１０、フィン部２０およびジョイント部３０の３つの部品でフィン部２０が回動した状態の位置を保持することができるので、部品点数を少なくすることができる。
【００４７】
この点について先行技術と比較してさらに説明する。従来のベンチレータでは、円筒フレームおよび可動フィンは、合成樹脂で一体成形されており同じ合成樹脂で構成されている。円筒フレームおよび可動フィンを構成する合成樹脂は、体積が大きいので生産性を考慮してコストの高い材料は使用され難い。一方、摩擦係数が高い合成樹脂の材料はコストが高い。すなわち、円筒フレームおよび可動フィンを構成する合成樹脂に摩擦係数の高い材料は使用され難いため、一般的に円筒フレームと可動フィンとの摩擦力は小さくなる。このため、円筒フレームと可動フィンとの摩擦力によって可動フィンが回動した状態の位置を保持することは困難である。
【００４８】
つまり、可動フィンを回動させた場合、可動フィンの自重による回転モーメントにより可動フィンを回動させた位置から軸部を中心に回転してしまう。そのため、上記公報のベンチレータでは、可動フィンの何れかの軸部にゴム状弾性体製のブッシュが嵌め込まれている。このブッシュにより可動フィンの回動に適度な操作荷重が付与されている。すなわち、このブッシュにより可動フィンの自重では可動フィンが回動しないようにベンチレータは構成されている。しかしながら、ブッシュが必要となるので、部品点数が多くなる。
【００４９】
それに対して本発明の一実施の形態のベンチレータ１では、上述のように、ケース部１０、フィン部２０およびジョイント部３０の３つの部品でフィン部２０が回動した状態の位置を保持することができるので、部品点数を少なくすることができる。
【００５０】
なお、ジョイント部３０がケース部１０の直径方向の中央に配置されているため、ジョイント部３０の体積を小さくすることができる。ジョイント部３０の体積を小さくすることができるため、ジョイント部３０にコストが高い材料を使用してもベンチレータ１全体に対してコストを高くする影響は少ない。よって、コストが高くても摩擦係数が高い合成樹脂の材料を使用することができる。
【００５１】
上記のベンチレータ１において好ましくは、吹出口２２は先端部２１から見て格子状に形成されている。吹出口２２が先端部２１から見て格子状に形成されているため、格子状の吹出口２２から吹き出される空気の指向性を向上することができる。そのため、吹出口２２から吹き出される空気の向きをより正確にコントロールすることができる。
【００５２】
上記のベンチレータ１において好ましくは、フィン部２０の外周の一部とケース部１０の先端とを連続して覆い、先端部２１側に向かって開口面積が小さくなるよう形成されたカバー部４０を備えている。カバー部４０がフィン部２０の外周の一部とケース部１０の先端とを連続して覆っているため、フィン部２０とケース部１０との間から空気が漏れることを抑制することができる。カバー部４０が先端部２１側に向かって開口面積が小さくなるよう形成されているため、先端部２１に設けられた吹出口２２により空気を供給することができる。
【００５３】
上述のベンチレータは、典型的には空気調和装置の吹出部に適用可能である。特に、車両に搭載された空気調和装置の吹出部に有用である。しかし、これ以外の任意の装置の気体の吹出部に適用可能である。
【００５４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることを意図される。
【産業上の利用可能性】
【００５５】
本発明は、空気調和装置などの気体の吹出部に取り付けられ、吹き出される気体の流れの向きを調整可能なベンチレータに特に有利に適用され得る。
【符号の説明】
【００５６】
１  ベンチレータ、５  通風路、１０  ケース部、１１  枠部材、１２  開口、１３  支持部材、１４  取付孔、１５  テーパ部分、１６  中間部材、１７  挿入枠部材、１８  爪部材、１９  開口、２０  フィン部、２１  先端部、２２  吹出口、２３  上下壁部材、２４  左右壁部材、２５  軸部材、２６  挿入部材、２７  テーパ部分、３０  ジョイント部、３１  第１軸、３１ａ  挿入穴、３１ｂ  テーパ部分、３２  第２軸、３２ａ  テーパ部分、４０  カバー部、４１  ベース部材、４２  突起部材、４３  係止溝、４４  カバー部材、４５  開口。
【図１】
0005568421.tif 000002
【図２】
0005568421.tif 000003
【図３】
0005568421.tif 000004
【図４】
0005568421.tif 000005
【図５】
0005568421.tif 000006
【図６】
0005568421.tif 000007
【図７】
0005568421.tif 000008
【図８】
0005568421.tif 000009